(57)【要約】      （修正有）【課題】大気環境汚染に影響を及ぼしている異常な環境に関連していると思われる、液体燃料の燃焼後排気される物質を軽減する装置を提供する。【解決手段】液体燃料の通路に筒状部分を設け、天然磁石破砕物セラミック焼成物２と磁波及びジュール熱発生コイル３を配設し、内部通路に磁界、ジュール熱受け特殊金属９を配置する。【選択図】図１
2016148321.tif 000002
【特許請求の範囲】
【請求項１】
一般内燃機の液体燃料がエンジン内に注入の間に筒状形状内を通過させる低炭素化器。
【請求項２】
機脂加工した燃料注入の筒状部分に天然磁石の破砕片を円形に加工し取り付け、その磁石造形に接着部分より筒状に銅線を巻き、巻き線に直流電源を通電させ、磁石との影響により磁界を発生させ液体燃料の細分子化を図る低炭素化機。
【請求項３】
上記筒状の形状に加工された内部に液体燃料を細分子化して通過を一定化し筒の内部に特殊金属を挿入し細分子化の影響を保持し完全爆発を図る低炭素化機。
【請求項４】
当低炭素器の特徴は筒状にした外部の磁界発生器と巻き線に通電した直流電源の効果で特殊金属の遠隔加温により一定注入が図られる低炭素化器。
【請求項５】
上記低炭素器の独特の特徴の一つは直流電流により加温され細分子化されて内燃器で爆発時に炭素分，硫黄分等の完全燃焼を助ける効果がある低炭素化気。
【請求項６】
安全重視の低炭素化気でありながら直接加温は必要とせず遠隔加温により粘性を少なくして液体燃料の成分で在る灰分等々を長時間爆発により、酸化物等も処理可能で、排気弁等の損傷も防ぐ事の可能な低炭素化器。
【発明の詳細な説明】
【発明の詳細な説明】
【発明に属する技術分野】
【０００１】本発明は大気圏環境汚染の一助に貢献すべく‐燃焼効率を改良から考案し液体燃料の効率化から組み立てて開発した低炭素機器。
【背景技術】
【０００２】従来は液体燃料に尿素その他添加物混入とか、セラミック製のろ過装置の使用で排気物の処理が行はれるが思惑とは別に消費量拡大に至るものがあり大きな改革とは思えない。【０００３】液体燃料の特徴の硫黄分その他の成分による被害は高圧噴射ポンプの故障のみならず排出バルブの損傷にも関係が生じ、尿素その他の融和剤の混入も使用されている。
【発明が解決しようとする課題】
当低炭素化機器が目指す目的は天然磁石と直流電源の磁波との影響力による化学変化で爆発時間の延長により完全爆発を実現し、高温度により硫黄分の燃焼及び灰成分を除去を達成の低炭素機器。
【課題を解決するための手段】
そこで本発明の低炭素器は最大の課題として磁力により環境改善の可能の実現を磁界に求め電磁波発生により、磁界による液体燃料の整列化、誘導電熱による流通効果と硫黄分の燃焼を図る低炭素機器。
【０００４】図１の１より吸入された液体燃料は図２の磁石セラミックの内部に接触分子の整列化を生じ図９の磁界内部にいたり特殊合金から受温の上イオン化を継続の上、図８に至りエンジン内に給引され効力を発揮する低炭素器。
【０００５】本低炭素器の安全信頼性は図２の１５の安全サーモスタットにより守られているが燃料の管理から運転台にも非常パイロットを着装できなお外部ステンレスにて外装保護が装着してあり、安全である
本発明にかかわる液体燃料低炭素器の外観と内部斜視図と一体構造図を示す。
【符号の説明】１        液体燃料吸入口
２        天然磁石破砕物セラミック焼成物
３        磁波及びジュール熱発生コイル
４        外部保護ステンレス保護器
５        本体樹脂一部分
６        本体メンテナンス用蓋
７        蓋取り付けボールと
８        排出内燃機接続口
９        磁界、ジュール熱受け特殊金属
１０      直流電源取り入れ接続コード
１２      巻き線接続コード
１３      安全設定温度サーモスタット
１４      巻線
１５      ＬＥＤパイロットランプ
１６      受配電基盤
【図１】
2016148321.tif 000003
【図２】
2016148321.tif 000004
【手続補正書】
【提出日】平成27年5月11日(2015.5.11)
【手続補正１】
【補正対象書類名】明細書
【補正対象項目名】全文
【補正方法】変更
【補正の内容】
【発明の詳細な説明】
【発明に属する技術分野】
【０００１】本発明は大気環境に及ボス運搬機その他、液体燃料により作動される機器で排気ガス及び粉塵の削減を目的とする技術を行使するものであらゆる技術を模索して効果効率を研究し完成させた液体燃料低炭素器である。
【０００２】現在市販中の排気ガス、および排出粉塵対策機器、又は尿素、触媒による科学的対策に立証されているものの燃費対策はあまり考慮されず、運転対策で計器により運転技術に頼らざることも現実にあり過剰な労働にも及ぼすことも聞くところであり、自動的に燃料減少、低炭素化を目的の機器である。
【発明の概要】
【０００３】一般内燃機の完全爆発を目的の機器であり、燃料を内燃機までに通果させる特殊装置により電磁石と磁石の組み合わせによる強力な磁界を作成し、燃料の細分子化、および整列化により、完全爆発を目的とする。完全爆発の効果と希望は内燃機内にとどまる延長時間で廃棄物の減少と抽出器、排気バルブ、排気管、への圧力減少、排気音減少等多大な成果が期待されます。
【課題を解決するための手段】
【０００４】先行技術調査の結果燃料抽出装置内に尿素の混合による排出ガス減少対策とか、エンジン内に送り込む空気挿入ホース外に天然磁石の加工品の巻きつけでイオン化を目的とする製品を調査の結果当製品の優れた点を確認し、新製品開発の効果が現実に確認できました。【０００５】本器開発は磁石と直流電源が生み出す電磁力による磁界の組み合わせによる、イオン化により細分子化および、整列化を図り圧縮爆発面へ効率よく注入出来完全爆発の効果が実現できる。
【発明の効果】
【０００４】本開発器の特徴は磁界力効果により液体燃料の細分子化、および整列化による内燃機内での完全燃焼による爆発時間の延長による排出物の減少と注入ポンプ、排出バルブ等の破砕減少等，排気管への圧力、騒音減少等低炭素化以外の効果は絶大てある。
【発明を実施するための形態】
【０００５】筒状の耐熱性樹脂に、天然磁石のリングを差し入れ磁石に接した部分より銅線を巻き、一定の抵抗値を固定し、筒状の内部に挿入した特殊金属に磁波を与え磁界を形成し液体燃料に誘導熱と細分子及び整列化の助成を図る目的である。
【０００６】電磁石の使用が根本的な設計のため本体筒状の内部に安全器の設置を設け安全な電源による磁界を得るることができ液体燃料の種類により磁界の設計変更も可能で万全な液体燃料低炭素器である。
【０００７】液体燃料使用の種類が運搬機のほかに農機具、移動用ボイラー等簡単に設置可能な形態が特徴であり、その特徴にあった設置が利便性の高い液体燃料低炭素器である。
【図面の簡単な説明】
【０００８】
【図１】液体燃料燃焼室までの細分子化過程図である。
【符号の説明】
【０００９】１          液体燃料タンクより燃料取り入れ口
２          本体メンテナンス用蓋
３          蓋固定ネジ
４          磁界促進天然磁石
５          直流電源通電磁力発生巻き線
６          燃料細分子化補助通過助成金属
７          不要加熱安定期サーモスタット１００°
８          安定器基盤結線
９          巻き線用配線
１０        受電配電基盤
１１        エンジンダイナモより取り入れ母は配線
１２        通電目視用ＬＥＤランプ
１３        内燃機液体燃料注入ポンプ接続ソケット
１４        外部防護ステンレスパイプ
【手続補正２】
【補正対象書類名】図面
【補正対象項目名】全図
【補正方法】変更
【補正の内容】
【図１】
2016148321.tif 000005